(57)【特許請求の範囲】
【請求項１】
炊飯器本体の後部に蓋後部をヒンジ軸により取付け、その蓋をヒンジばねにより開放方向に付勢し、上記ヒンジ軸、その軸受部及び上記ヒンジばねの収納部分に上記炊飯器本体の後方から当てたヒンジ部カバーを固定し、上記炊飯器本体に係合した蓋の係合を解除することにより上記蓋を自動開放するようにした炊飯器の蓋開閉構造において、上記ヒンジ軸を所定の間隔をおいて対向した左右２本のヒンジ軸により構成すると共に、各ヒンジ軸の外端部を上記蓋に固定し、上記軸受部を各ヒンジ軸ごとに設けた外側軸受部と内側軸受部とにより構成し、上記各ヒンジ軸にヒンジばねを挿通し、上記ヒンジ部カバーの一部を各ヒンジばねに押し当てたことを特徴とする炊飯器の蓋開閉構造。
【請求項２】
炊飯器本体の後部に蓋後部をヒンジ軸により取付け、その蓋をヒンジばねにより開放方向に付勢し、上記ヒンジ軸、その軸受部及び上記ヒンジばねの収納部分に上記炊飯器本体の後方から当てたヒンジ部カバーを固定し、上記炊飯器本体に係合した蓋の係合を解除することにより上記蓋を自動開放するようにした炊飯器の蓋開閉構造において、上記ヒンジ軸を所定の間隔をおいて対向した左右２本のヒンジ軸により構成すると共に、各ヒンジ軸の外端部を上記蓋に挿通し、上記各ヒンジ軸にヒンジばねを挿通し、上記軸受部を各ヒンジ軸ごとに設けた外側軸受部と内側軸受部とにより構成し、金属製軸受部材の上端部に平面視コの字形屈曲部を設け、さらにその固定部から下方に屈曲形成された逆Ｌ形屈曲部を設け、該金属製軸受部材の上記コの字形屈曲部に上記ヒンジばねの収納部分の奥壁側に開放された溝状の一対の軸受支持部を設け、その軸受支持部により上記各ヒンジ軸の内側軸受部を形成し、該軸受部材を上記炊飯器本体に固定し、左右の外側軸受補強部の間を帯状のブリッジ部で連結した構造をなす金属製の補強部材を上記ヒンジばねの収納部分の奥壁に固定し、その補強部材の上記外側軸受補強部の上部に下方に開放されたフック状の対向軸受部を設け、該対向軸受部を上記外側軸受部の上方に対向させて該外側軸受部を補強し、上記ブリッジ部を上記軸受部材の逆Ｌ形屈曲部に押し当てることにより上記内側軸受部を補強したことを特徴とする炊飯器の蓋開閉構造。
【請求項３】
上記軸受部材の内側に、これと対向して内側軸受部を構成する内側軸受部材を設けたことを特徴とする請求項２に記載の炊飯器の蓋開閉構造。
【発明の詳細な説明】
【０００１】
【発明の属する技術分野】
この発明は、炊飯器（炊飯ジャーを含む。）の蓋開閉構造に関するものである。
【０００２】
【従来の技術】
炊飯器の蓋開閉装置は、炊飯器本体の後部に蓋後部をヒンジ構造により取付け、その蓋に開放方向の付勢力を付与するとともに、該蓋を炊飯器本体にフックにより係合し、その係合をフックボタンの操作により解除して蓋を自動開放するようにした構成が一般的である。
【０００３】
この場合のヒンジ構造は、例えば、特公平６−１０２０５０号公報に見られるように、左右一対の本体側軸受と、それに支持されたヒンジ軸、そのヒンジ軸に挿通した１又は２個のねじりコイルばねにより構成され、上記ヒンジ軸の中間部に蓋側軸受を回転自在に取付けるようになっている。
【０００４】
【発明が解決しようとする課題】
しかしながら、前記のように１本のヒンジ軸を使用する場合は、蓋側軸受はヒンジ軸の中央部の１か所で支持されるため、蓋の安定した開閉（がたつきのない開閉）のために、蓋側軸受の軸方向の長さはある程度以上長く設定する必要がある。このため、ヒンジ部全体の構造が大きくなり、デザイン的な制約を受ける問題がある。
【０００５】
そこで、この発明は、ヒンジ軸を左右２本に分割し、分割された左右のヒンジ軸で蓋を支持することにより上記の問題を解決し、コンパクトなヒンジ構造を持った炊飯器の蓋開閉構造を提供することを課題とする。
【０００６】
【課題を解決する手段】
上記の課題を解決するために、この発明は、炊飯器本体の後部に蓋後部をヒンジ軸により取付け、その蓋をヒンジばねにより開放方向に付勢し、上記ヒンジ軸、その軸受部及び上記ヒンジばねの収納部分に上記炊飯器本体の後方から当てたヒンジ部カバーを固定し、上記炊飯器本体に係合した蓋の係合を解除することにより上記蓋を自動開放するようにした炊飯器の蓋開閉構造において、上記ヒンジ軸を所定の間隔をおいて対向した左右２本のヒンジ軸により構成すると共に、各ヒンジ軸の外端部を上記蓋に固定し、上記軸受部を各ヒンジ軸ごとに設けた外側軸受部と内側軸受部とにより構成し、上記各ヒンジ軸にヒンジばねを挿通し、上記ヒンジ部カバーの一部を各ヒンジばねに押し当てた構成を採用したものである。
【０００７】
上記構成によると、左右の各ヒンジ軸は従来の１本のヒンジ軸に比べて短くなり、しかも、蓋の回転支持は左右の外側軸受部において行われるので、軸方向の間隔が十分確保され、蓋の開閉が安定する。
【０００８】
前記の課題を解決する他の手段として、炊飯器本体の後部に蓋後部をヒンジ軸により取付け、その蓋をヒンジばねにより開放方向に付勢し、上記ヒンジ軸、その軸受部及び上記ヒンジばねの収納部分に上記炊飯器本体の後方から当てたヒンジ部カバーを固定し、上記炊飯器本体に係合した蓋の係合を解除することにより上記蓋を自動開放するようにした炊飯器の蓋開閉構造において、上記ヒンジ軸を所定の間隔をおいて対向した左右２本のヒンジ軸により構成すると共に、各ヒンジ軸の外端部を上記蓋に挿通し、上記各ヒンジ軸にヒンジばねを挿通し、上記軸受部を各ヒンジ軸ごとに設けた外側軸受部と内側軸受部とにより構成し、該内側軸受を金属製の軸受部材により形成し、該軸受部材を上記炊飯器本体に固定した構成を採用することもできる。
【０００９】
この構成によると、前記の場合と同様に、左右の各ヒンジ軸は従来の１本ヒンジ軸に比べて短くなり、しかも、蓋の回転支持は左右の外側軸受部において行われるので、軸方向の間隔が十分確保され、安定した開閉を行うことができるほか、金属製の軸受部材を使用することにより、内側軸受部の強度が確保される。
【００１０】
なお、上記の軸受部材により、上記ヒンジばねのばね端支持部を補強した構成や、上記炊飯器本体に固定した金属製の補強部材により、上記軸受部材を補強した構成、上記軸受部材の内側に、これと対向して内側軸受部を構成する内側軸受部材を設けた構成、その他上記補強部材に各外部軸受部で支持されたヒンジ軸端部を上方から囲む対向軸受部を設けた構成等を採用することができる。いずれの構成も、ヒンジ軸の軸受構造を補強するものである。
【００１１】
【発明の実施の形態】
以下、この発明の実施形態を添付図面に示した炊飯ジャーの蓋開閉装置について説明する。図１から図３に示した第１実施形態の炊飯ジャーは、ジャー本体１の後部に設けた本体側ヒンジ部２を介して蓋３の後部を取付け、その本体側ヒンジ部２に付設したねじりコイルばねでなるヒンジばね４により蓋３を開放方向に付勢している。また、蓋３の前端部に周知のフック構造が設けられ、フックボタン６の操作でフックの係合を外し、蓋３を自動開放するようにしている。蓋３には蒸気を排出するための蒸気孔セット５が装着される。
【００１２】
蓋３の後部に設けた切欠き状の蓋側ヒンジ部７の左右の側壁に、それぞれ同芯状に対向したヒンジ軸８、８の各外端部が固定される。各ヒンジ軸８、８は通常は、蓋本体９と一体成形される。
【００１３】
ジャー本体１には、釜１１が着脱自在に収納され、その後方に前記の本体側ヒンジ部２が設けられる。本体側ヒンジ部２は、ジャー本体１の後面から凹入して形成され、その奥壁１２が釜１１の収納部との間に立ち上がっている。ヒンジ部２にはこれを後方からカバーするヒンジ部カバー１３が嵌合段部１４に嵌合される。該ヒンジ部カバー１３は、その上縁部に設けた内向きの一対の係止爪１５を奥壁１２に設けた２か所の係止部１６に係止するようにしている。
【００１４】
本体側ヒンジ部２の左右両側壁には、図２に示すように、外側軸受部１７、１７が設けられる。各外側軸受部１７は、上方に開放された溝状の軸支持部により形成される。また、奥壁１２には、左右一対の内側軸受部１８、１８が設けられる。各内側軸受部１８は後方に開放された溝状の軸支持部により形成される。上記の左右の外側軸受部１７と内側軸受部１８はそれぞれ前記のヒンジ軸８に対応して設けられる。各ヒンジ軸８には前述のヒンジばね４のコイル部が挿通されるが、そのコイル部と奥壁１２との干渉を避けるためのぬすみ１９が奥壁１２に形成される。
【００１５】
また、上記奥壁１２において、内側軸受１８、１８の下方にはばね端支持部２０が設けられる。このばね端支持部２０には、ばね端挿入ポケット２１が設けられ、前記のヒンジばね４の一方のばね端部２２がこれに挿入される。ヒンジばね４の他方のばね端部２３は、蓋本体９のばね端支持部２４（図３（ｂ）参照）に挿入支持される。また、ばね端支持部２１には、後方に開放されたねじ孔２５が設けられる。
【００１６】
前述のヒンジ部カバー１３には、ねじ孔２５に螺合されるねじ２６の挿通孔２７が設けられる。また、ヒンジ部カバー１３の内面に左右一対の突起２８、２８が設けられ、その突起２８を各ヒンジばね４のコイル部に押し当てるようにしている。なお、ヒンジ部カバー１３の背面につまみ２９が設けられる。
【００１７】
第１実施形態の炊飯ジャーの蓋開閉構造は以上のようなものであり、左右の各ヒンジ軸８は、外側軸受部１７と内側軸受部１８により支持されると共に、ヒンジ部カバー１３の突起２８をヒンジばね４に押し当てることにより、後方への抜け出しが防止される。本体側ヒンジ部２の幅（軸方向長さ）は、最大で左右の外側軸受部１７、１７間の距離であり、蓋３の開閉の安定度はその左右の外側軸受部１７、１７間の距離で定まる。従って、本体側ヒンジ部２の幅は、蓋３の安定支持に必要な大きさに限定され、それ以上の幅は不要であるので、コンパクト化が図れる。
【００１８】
次に、図４及び図５に示した第２実施形態の蓋開閉構造について説明する。基本的な構造は、前述の第１実施形態の場合と同様であるが、左右のヒンジ軸８、８が蓋２から独立した金属製のピンである点、金属の製軸受部材３１及び金属製の補強部材３２を用いた点が相違する。
【００１９】
上記のヒンジ軸８は、蓋本体９の外側から挿入され、前記と同様にヒンジばね４がこれに挿通されると共に、各ヒンジ軸８はそれぞれ外側軸受部１７と内側軸受部１８により支持される。但し、この場合の内側軸受部１８は上記の軸受部材３１に設けられる。
【００２０】
軸受部材３１は、図４に示すように、上端部にコの字形屈曲部３３が設けられ、上記の内側軸受部１８はそのコの字形屈曲部３３に、奥壁１２側に開放された溝状の軸支持部により形成される。コの字形屈曲部３３の下方に固定部３４が設けられ、その固定部３４にねじ挿通孔３５が設けられる。そのねじ挿通孔３５に、前記のヒンジ部カバー１３（図２参照）を固定するねじ２６が挿通され、これにより前記のねじ孔２５に固定される。その固定部３４から下方に屈曲形成された逆Ｌ形屈曲部３６がフック挿入ポケット２１の下面に沿い、かつ下方に延び出す。上記の軸受部材３１は、内側軸受１８を形成すると共に、ねじ端支持部２０を補強する。
【００２１】
また、前記の補強部材３２は、図４に示すように、左右の外側軸受補強部３７、３７間を帯状のブリッジ部３８で連結した構造をなし、そのブリッジ部３８が前記ばね端支持部２０下方の柱部３９に沿って屈曲されている。また、左右の外側軸受補強部３７の上部には下方に開放されたフック状の対向軸受部４１が設けられ、前記の外側軸受部１７の内側においてその上方に対向し、ヒンジ軸８の後方から回り込んで該ヒンジ軸８の上方を支持する。また、補強部材３２には、前記の奥壁１２の孔４２に挿通され奥壁１２の内方に突き出す突出片４３が屈曲形成される。この補強部材３２をねじ４４、４４により奥壁１２に固定することにより各外側軸受部１７が補強されると共に、ブリッジ部３８が前記軸受部材３１の逆Ｌ形屈曲部３６に押し当てられ（図５（ａ）（ｂ）参照）、これにより軸受部材３１が補強される。なお、突出片４３は奥壁１２の孔４２に係合され、補強部材３２自体の安定性を確保する。
【００２２】
第２実施形態は以上のようなものであり、内側軸受部１８が金属製の軸受部材３１に設けられたこと、その軸受部材３１の下端部に補強部材３２のブリッジ部３８が押し当てられていることにより、各ヒンジ軸８の内端部の支持強度が向上する。また、外側軸受部１７に対向して、補強部材３２の対向軸受部４１を設けているため、各ヒンジ軸８の外端部における支持強度も向上する。
【００２３】
次に、図６から図８に示した第３実施形態は、前記の第２実施形態における軸受部材３１の構造が一部相違するだけであり、他は同じである。即ち、この場合の軸受け部材３１は、図６に示すように、上部に逆Ｕ字形屈曲部４５が設けられ、またその下部において左右に突き出した固定片４６、４６が設けられる。逆Ｕ字形屈曲部４５はその溝状部分で内側軸受部１８ａを形成し、これに対向した奥壁１２の内側軸受部１８ｂとによりヒンジ軸８の内端部を支持する。
【００２４】
また、上記の各固定片４６に挿通したねじ４７を奥壁１２に固定することにより、前記のねじ２６と合わせて３か所でねじ止めするようにしている。軸受部材３１の下端部に設けた逆Ｌ字形屈曲部３６を補強部材３２のブリッジ部３８で押さえる構造は前記と同じである。また、補強部材３２の構造も同様である。軸受け部材３１の固定が一層強固になっている。
【００２５】
また、図９から図１１に示した第４実施形態は、軸受部材３１の形状が若干異なる点と、この軸受部材３１に対向して内側軸受部材４８を設けた点が前記第３実施形態と相違する。即ち、この場合の軸受部材３１は、その上部に上向きに起立した押さえ片４９を有するものである。内側軸受部材４８は、奥壁１２の中央部に配置され、取付け片５１、５１により、軸受部材３１と同じねじ４７、４７で固定される。
【００２６】
上記の内側軸受部材４８は、図１１に示すように、背板５２の両側に後方に向け屈曲した上下一対の軸受片５３、５３により、後方に開放した内側軸受部１８、１８が形成され、その開放部分を上記の押さえ片４９によって閉塞することにより、ヒンジ軸８の逸脱を防止するようにしている。軸受部材３１及び内側軸受部材４８は共に金属製であるので、内側軸受部１８の強度が向上する。
【００２７】
【発明の効果】
以上のように、この発明は、蓋を開閉自在に支持するヒンジ軸を左右２本に分け、それぞれ外側軸受部と内側軸受部により構成された軸受部により支持するようにしたものであるから、各ヒンジ軸は従来の１本の場合に比べ短くなり、蓋の開閉の安定度が高く、しかもコンパクトな開閉構造を実現することができる。また、金属製の軸受部材や補強部材を用いることにより、ヒンジ軸の軸受構造を強化しその耐久性を向上することができる。
【図面の簡単な説明】
【図１】第１実施形態の分解斜視図
【図２】同上の一部拡大分解斜視図
【図３】（ａ）同上のヒンジ部カバーを外した部分の正面図
（ｂ）同上のヒンジ部カバーを取付けた部分の断面図
【図４】第２実施形態の分解斜視図
【図５】（ａ）同上のヒンジ部カバーを外した部分の正面図
（ｂ）同上のヒンジ部カバーを取付けた部分の断面図
【図６】第３実施形態の分解斜視図
【図７】同上のヒンジ部カバーを外した部分の斜視図
【図８】（ａ）同上のヒンジ部カバーを外した部分の正面図
（ｂ）同上のヒンジ部カバーを取付けた部分の断面図
【図９】第４実施形態の分解斜視図
【図１０】（ａ）同上のヒンジ部カバーを外した部分の正面図
（ｂ）同上のヒンジ部カバーを取付けた部分の断面図
【図１１】同上の一部拡大斜視図
【符号の説明】
１  ジャー本体
２  本体側ヒンジ部
３  蓋
４  ヒンジばね
５  蒸気孔セット
６  フックボタン
７  蓋側ヒンジ部
８、８’  ヒンジ軸
９  蓋本体
１１  釜
１２  奥壁
１３  ヒンジ部カバー
１４  嵌合段部
１５  係止爪
１６  係止部
１７  外側軸受部
１８  内側軸受部
１８ａ、１８ｂ  内側軸受部
１９  ぬすみ
２０  ばね端支持部
２１  ばね端挿入ポケット
２２  ばね端部
２３  ばね端部
２４  ばね端支持部
２５  ねじ孔
２６  ねじ
２７  ねじ孔
２８  突起
２９  つまみ
３１  軸受部材
３２  補強部材
３３  コの字形屈曲部
３４  固定部
３５  ねじ挿通孔
３６  逆Ｌ形屈曲部
３７  外側軸受補強部
３８  ブリッジ部
３９  柱部
４１  対向軸受部
４２  孔
４３  突出片
４４  ねじ
４５  逆Ｕ字形屈曲部
４６  固定片
４７  ねじ
４８  内側軸受部材
４９  押さえ片
５１  取付け片
５２  背板
５３  軸受片
【図１】
0003681649.tif 000002
【図２】
0003681649.tif 000003
【図３】
0003681649.tif 000004
【図４】
0003681649.tif 000005
【図５】
0003681649.tif 000006
【図６】
0003681649.tif 000007
【図７】
0003681649.tif 000008
【図８】
0003681649.tif 000009
【図９】
0003681649.tif 000010
【図１０】
0003681649.tif 000011
【図１１】
0003681649.tif 000012